(57)【要約】【課題】操作中に指先が外れたときであっても、外れた直後の回動位置とほぼ同じ位置から回動操作を続行し得る回動つまみを提供することを主目的とする。【解決手段】軸線Ａと直交する端面７ａにおける軸線Ａから偏心した位置に指掛け用の凹部８が形成されると共に、軸線Ａを中心として凹部８が回動した際に凹部８の中心Ｂが通過する円Ｃと凹部８の軸線Ａから最も離間した部位Ｄが通過する円Ｅとで挟まれた円環領域Ｆ内にその表面の少なくとも一部が含まれる１以上の突起９が端面７ａに形成されている。【選択図】図２
2006049667.tif 000002
【特許請求の範囲】
【請求項１】
軸線と直交する端面における当該軸線から偏心した位置に指掛け用の凹部が形成されると共に、当該軸線を中心として当該凹部が回動した際に当該凹部の中心が通過する円と当該凹部の当該軸線から最も離間した部位が通過する円とで挟まれた円環領域内にその表面の少なくとも一部が含まれる１以上の突起が当該端面に形成されている回動つまみ。
【請求項２】
前記突起を少なくとも一対備え、当該各突起は、前記凹部の両側に近接した位置にそれぞれ形成されている請求項１記載の回動つまみ。
【請求項３】
請求項１または２記載の回動つまみが操作パネルに配設されている測定装置。
【発明の詳細な説明】
【技術分野】
【０００１】
本発明は、ボリュームやロータリーエンコーダなどのシャフトを回動させる回動つまみおよびこの回動つまみを備えた測定装置に関するものである。
【背景技術】
【０００２】
この種の回動つまみとして、特開２０００−９７７０４号公報に開示された回動つまみ（ノブ）が知られている。この回動つまみは、平面形状がほぼ円形であり、その端面に少なくとも１つの指掛窪または突起が形成されて構成されている。この回動つまみを操作する場合、使用者は、端面に指掛窪が形成されている回動つまみに対しては、この指掛窪に指先を挿入して回動つまみを操作し、端面に突起が形成されている回動つまみに対しては、この突起に指先を掛けて回動つまみを回動操作する。
【特許文献１】特開２０００−９７７０４号公報（第３頁、第１図）
【発明の開示】
【発明が解決しようとする課題】
【０００３】
ところが、従来の回動つまみには、以下のような問題点がある。すなわち、この回動つまみでは、例えば、端面に形成された指掛窪に指先を挿入して回動つまみを高速で回転させている場合、挿入している指掛窪から指先が外れたときには、端面における指掛窪の形成部位以外の部位がほぼ平面に形成されているため、回動つまみに対する指先の接触が完全になくなる。このため、回動つまみが、慣性によってフリーな状態で高速に回動し続けることとなる。したがって、その後に、回動つまみの端面に指先を素早く接触させたとしても、指先を再度接触させるまでの間に回動つまみが多く回動し、しかもその回動量がその都度変化する。このため、この回動つまみには、操作中に指先が外れたときには、外れた直後の回動つまみの回動位置から回動操作を続行するのが困難であるという問題点が存在する。この問題点は、指掛窪に代えて突起が端面に形成されている回動つまみにおいても、突起から指先が外れたときには回動つまみに対する指先の接触が完全になくなるため、同様に発生する。
【０００４】
本発明は、かかる問題点を解決すべくなされたものであり、操作中に指先が外れたときであっても、外れた直後の回動位置とほぼ同じ位置から回動操作を続行し得る回動つまみを提供することを主目的とする。また、この回動つまみを備えることにより、この回動つまみを使用して所望の制御量を容易に設定し得る測定装置を提供することを他の主目的とする。
【課題を解決するための手段】
【０００５】
上記目的を達成すべく請求項１記載の回動つまみは、軸線と直交する端面における当該軸線から偏心した位置に指掛け用の凹部が形成されると共に、当該軸線を中心として当該凹部が回動した際に当該凹部の中心が通過する円と当該凹部の当該軸線から最も離間した部位が通過する円とで挟まれた円環領域内にその表面の少なくとも一部が含まれる１以上の突起が当該端面に形成されている。
【０００６】
また、請求項２記載の回動つまみは、請求項１記載の回動つまみにおいて、前記突起を少なくとも一対備え、当該各突起は、前記凹部の両側に近接した位置にそれぞれ形成されている。
【０００７】
この場合、上記の回動つまみにおいて、前記突起の表面積を前記凹部の表面積よりも小さく形成するのが好ましい。
【０００８】
上記目的を達成すべく請求項３記載の測定装置は、請求項１または２記載の回動つまみが操作パネルに配設されている。
【発明の効果】
【０００９】
請求項１記載の回動つまみおよび請求項３記載の測定装置によれば、その端面における軸線から偏心した位置に凹部を形成すると共にその表面の少なくとも一部が円環領域内に含まれる突起を形成したことにより、回動つまみを回動させているときに指先が凹部から外れたとしても、回動つまみのフリー回転による回動量を僅かな量に抑制することができる。したがって、その後に、指先を凹部に再度挿入して回動つまみを回動させることにより、指先が凹部から外れた直後の回動位置とほぼ同じ位置から回動つまみの回動操作を続行することができる。この結果、回動つまみを回動させることで、例えば、ボリューム等によって測定装置の処理部に対して所望の制御量を容易に設定することができる。
【００１０】
請求項２記載の回動つまみおよび請求項３記載の測定装置によれば、凹部の両側に近接した位置に突起をそれぞれ形成して回動つまみを構成したことにより、回動つまみを左右いずれの方向に回動させたときにも、突起に指先が確実に接触するため、上記の効果を奏することができる。
【００１１】
また、突起の表面積を凹部の表面積よりも小さく形成することにより、突起に対する操作性の低下を招くことなく、また回動つまみのデザインを向上させつつ、上記の効果を奏することができる。
【発明を実施するための最良の形態】
【００１２】
以下、添付図面を参照して、本発明に係る回動つまみおよび測定装置の最良の形態について説明する。
【００１３】
まず、測定装置１の構成について図面を参照して説明する。
【００１４】
測定装置１は、例えば、波形記録装置であって、図１に示すように、筐体２、表示部３、操作パネル４、入力コネクタおよび処理部（いずれも図示せず）を備えている。この場合、表示部３は、例えば、ＬＣＤで構成されて、筐体２のフロントパネル１ａに操作パネル４と共に配設されている。
【００１５】
操作パネル４は、複数の入力スイッチ５，５・・、１つのシャトルダイヤル６、および１つのジョグダイヤル（本発明における回動つまみ）７を含んで構成されている。この場合、一般的に、シャトルダイヤル６は粗調整用ダイヤルとして機能し、ジョグダイヤル７は微調整用ダイヤルとして機能する。
【００１６】
ジョグダイヤル７は、図２に示すように、外形が円柱状または正面側の端面が閉塞された円筒状に形成されて、図１に示すように、円筒状のシャトルダイヤル６の内側に配設されている。また、ジョグダイヤル７は、図２に示すように、軸線Ａと直交する端面（正面）７ａにおける軸線Ａから偏心した位置に指掛け用の凹部８が形成されている。凹部８は、軸線Ａおよびその中心Ｂを含む平面に沿った断面形状が図３に示すように円弧状に規定されて、挿入した指先が凹部８の中心Ｂに位置する最深部に自然に誘導されるように構成されている。また、ジョグダイヤル７の端面７ａには、ジョグダイヤル７の回動に伴って凹部８が軸線Ａを中心として回動した際に、凹部８の中心Ｂが通過する円Ｃと凹部８における軸線Ａから最も離間した部位Ｄが通過する円Ｅとで挟まれた円環領域Ｆ内にその表面の少なくとも一部が含まれる１以上（本例では一例として７つ）の突起９，９・・が端面７ａに形成されている。この場合、少なくとも２つの突起９，９を備え、各突起９，９が凹部８の両側に近接した位置（同図における位置Ｐ１，Ｐ２）にそれぞれ形成されているのが好ましい。各突起９，９・・は、一例として、その直径が凹部８の直径よりも小さい半球形状に形成されると共に、軸線Ａを中心とする同一円周上（円Ｅの円周上）に形成（配設）されている。また、凹部８および突起９，９・・は、一例として、軸線Ａを中心として４５度の等角度間隔で形成されている。
【００１７】
シャトルダイヤル６およびジョグダイヤル７は、筐体２内に配設された不図示のボリュームやロータリーエンコーダ（以下、「ボリューム等」ともいう）のシャフト（図示せず）に直接、または歯車などの伝達機構（図示せず）を介してそれぞれ連結されている。また、シャトルダイヤル６およびジョグダイヤル７は、連結されたボリューム等のシャフトまたは伝達機構によって支持されることにより、軸線Ａを中心としてそれぞれ独立して回動自在に操作パネル４上に配設されている。処理部は、入力コネクタを介して入力した信号を信号処理すると共に、一例として、信号処理した信号の波形を表示部３に表示させる。この場合、処理部は、一例として、シャトルダイヤル６およびジョグダイヤル７に対する操作に応じてシャフトが回動させられるボリューム等からシャフトの回動量に応じた制御量を入力して、この制御量に基づいて、表示部３に表示されている波形をスクロールさせる。ここで、制御量とは、ボリュームの場合にはシャフトの回動に応じて変化する抵抗値を意味し、ロータリーエンコーダの場合にはシャフト自体の回動量または回動角度を意味する。
【００１８】
次に、測定装置１の動作について、測定装置１に対する操作方法と併せて説明する。
【００１９】
この測定装置１では、処理部が、入力した信号を信号処理して、その信号の波形を表示部３に表示させる。この場合、処理部は、その波形の波形全体を表示部３に表示しきれないときには、波形の一部を表示部３に表示させる。この場合、使用者は、表示部３に現在表示されている波形の部位以外の部位（所望の部位）を表示部３に表示させようとするときには、シャトルダイヤル６およびジョグダイヤル７を操作して（回動させて）、表示部３に表示されている波形をスクロールさせて所望の部位を表示部３に表示させる。具体的には、使用者は、まず、表示部３に表示されている波形を見ながら、波形をスクロールさせる方向の向きでシャトルダイヤル６を回動させる。この場合、シャトルダイヤル６は粗調整用ダイヤルとして機能するため、シャトルダイヤル６の回動量が少ないときであっても、ボリューム等によって処理部に対して短時間に大きな制御量が設定される。したがって、処理部は、入力した制御量に応じて、表示部３に表示されている波形をシャトルダイヤル６の回動方向に対応する向きで高速にスクロールさせる。次いで、使用者は、表示部３に表示されている波形を見ながら、現在表示されている波形の部位が所望の部位に近づいたときに、シャトルダイヤル６の回動を停止させる。このようにして、まず、シャトルダイヤル６を操作することにより、所望の部位の近傍まで波形を短時間に大まかにスクロールさせる。
【００２０】
続いて、表示部３に表示されている波形を見ながら、波形をスクロールさせる方向に対応する向きでジョグダイヤル７を回動させる。この場合、ジョグダイヤル７は微調整用ダイヤルとして機能する。このため、シャトルダイヤル６と同じ量だけ回動させたとしても、ボリューム等によって処理部に対して非常に小さい制御量が設定される。したがって、シャトルダイヤル６の操作と比較して、ジョグダイヤル７の操作による波形のスクロール速度は非常に遅くなっている。このため、使用者は、ジョグダイヤル７を操作する際には、指先を凹部８に挿入して、指先で円を描くようにして指を素早く動かすことにより、ジョグダイヤル７を回動させる。この方法により、使用者は、ジョグダイヤル７をシャトルダイヤル６よりも高速に回動させることができる。
【００２１】
一方、ジョグダイヤル７を高速に回動させたときには、指先が凹部８から外れることがある。この際に、ジョグダイヤル７はフリー回転状態に移行するが、凹部８から外れた指先は、多くの場合、端面７ａにおける凹部８の中心Ｂよりも外縁側に移動する。このため、指先は、凹部８の中心Ｂを通過する円Ｃを内縁とする円環領域Ｆにその一部が含まれるようにして形成された複数の突起９，９・・のいずれかに当接する。通常、指先は、凹部８から外れた直後に、凹部８に隣接する位置（Ｐ１またはＰ２）の突起９に当接する。仮に、この隣接する突起９に当接しないときであっても、指を僅かに移動させることで、指先が他のいずれかの突起９に当接する。このため、指先が外れた後におけるジョグダイヤル７のフリー回転時の回動量が、常に１回転未満の僅かな量に抑制される。したがって、その後、使用者は、指先を凹部８に再度挿入してジョグダイヤル７を回動させることにより、指先が凹部８から外れた直後の回動位置からジョグダイヤル７の回動操作を続行することができる。特に、この測定装置１では、上記したように、ジョグダイヤル７を操作した際にボリューム等によって処理部に対して設定される制御量は、シャトルダイヤル６と比較して、同じ回動量であったとしても非常に小さく規定されている。このため、１回転未満の僅かな回動量に対応する制御量は極めて小さいこととなる。したがって、指先が凹部８から外れた直後から突起９に当接するまでの間において、処理部が表示部３に表示されている波形をその制御量に基づいてスクロールする量は、極めて小さいこととなる。この結果、使用者は、指先が凹部８から外れた直後に表示部３に表示されている表示状態から、波形のスクロールを迅速に続行することができる。一方、回転させるために必要な回転トルクが大きいために指先が外れたときにフリー回転にならないものもあるが、本発明に係る回動つまみの構造を採用することにより、指先が凹部８から外れたとしても突起９に当接することによってジョグダイヤルなどの回転を引き続き制御することができる。
【００２２】
このように、この測定装置１によれば、指先で操作するジョグダイヤル７の端面７ａにおける軸線Ａから偏心した位置に凹部８を形成すると共にその表面の少なくとも一部が円環領域Ｆ内に含まれる突起９を形成したことにより、ジョグダイヤル７を回動させているときに指先が凹部８から外れたとしても、ジョグダイヤル７のフリー回転による回動量を僅かな量に抑制することができる。したがって、その後に、指先を凹部８に再度挿入してジョグダイヤル７を回動させることにより、指先が凹部８から外れた直後の回動位置とほぼ同じ位置からジョグダイヤル７の回動操作を続行することができる。この結果、ジョグダイヤル７を回動させることで、ボリューム等によって処理部に対して所望の制御量を容易に設定することができる。
【００２３】
また、この測定装置１によれば、凹部８の両側に近接した位置Ｐ１，Ｐ２に少なくとも突起９をそれぞれ形成してジョグダイヤル７を構成したことにより、ジョグダイヤル７を左右いずれの方向に回動させたときにも、突起９に指先が確実に接触するため、上記の効果を奏することができる。また、突起９の表面積を凹部８の表面積よりも小さく形成したことにより、突起９に対する操作性の低下を招くことなく、またジョグダイヤル７のデザインを向上させつつ、上記の効果を奏することができる。
【００２４】
なお、本発明は、上記の構成に限定されない。例えば、７つの突起９，９・・を凹部８と共にジョグダイヤル７の端面７ａに等角度間隔で形成した例について説明したが、突起９の数は１以上の任意の数に規定することができる。また、必ずしも同じ角度間隔で形成する必要はなく、異なる任意の角度の間隔で突起９を形成することもできる。また、半球形状に突起９を形成したが、この形状に限定されるものではなく、例えば、平面形状が長円や楕円の円柱形状や、多角柱形状に突起９を形成することもできる。さらに、突起９を直方体形状に形成すると共に、軸線Ａを中心として放射状に端面７ａに配設する構成を採用することもできる。
【００２５】
また、測定装置１の一例である波形記録装置における波形スクロール制御用のジョグダイヤル７に本発明に係る回動つまみを適用した例について説明したが、本発明は、波形の拡大や、ポインタの移動等を行うつまみに適用することもできる。また、ジョグダイヤルに限らず、凹部８が形成されている限り、他の各種の回動つまみに適用できるのは勿論である。また、一例として、測定装置１に本発明に係る回動つまみを適用した例について説明したが、測定装置に限らず、例えば、音響装置、通信装置および工作装置など、測定以外の技術分野の装置にも適用できるのは勿論である。
【図面の簡単な説明】
【００２６】
【図１】測定装置１の構成を示す正面図である。
【図２】ジョグダイヤル７の正面図である。
【図３】ジョグダイヤル７の側面図である。
【符号の説明】
【００２７】
１  測定装置
７  ジョグダイヤル（回動つまみ）
７ａ  端面
８  凹部
９  突起
Ａ  軸線
Ｂ  凹部８の中心
Ｃ  凹部８の中心Ｂが通過する円
Ｄ  凹部８の軸線Ａから最も離間した部位
Ｅ  凹部８の軸線Ａから最も離間した部位が通過する円
Ｆ  円環領域
【図１】
2006049667.tif 000003
【図２】
2006049667.tif 000004
【図３】
2006049667.tif 000005